(57)【要約】【課題】簡単な構成で、放出される蒸気の温度を調整できる加湿器を提供する。【解決手段】加湿器は、加熱部で発生した蒸気を本体ケース７の蒸気口７ａへ誘導するための蒸気通路３４を有する加湿機構３と、本体ケース７の吸気口から吸引した空気を本体ケース7の排気口７ｃから排出するための送風通路５４を有する送風機構５とを備え、加湿機構３と送風機構５は、送風通路５から蒸気通路３に空気の一部を送り込むための開口部７５７ａ，３５を有し、送風通路５４から蒸気通路３４に送り込まれる空気量を機械的に調整する調整機構６を備える。【選択図】図７
2019203672.tif 000002
【特許請求の範囲】
【請求項１】
加熱部で発生した蒸気を本体ケースの蒸気口へ誘導するための蒸気通路を有する加湿機構と、
前記本体ケースの吸気口から吸引した空気を前記本体ケースの排気口から排出するための送風通路を有する送風機構と
を備え、
前記加湿機構と前記送風機構は、前記送風通路から前記蒸気通路に前記空気の一部を送り込むための開口部を有し、
前記送風通路から前記蒸気通路に送り込まれる空気量を機械的に調整する調整機構を備える
加湿器。
【請求項２】
前記調整機構は、前記開口部を開閉自在に開閉して、当該開口部を通過する空気量を調整する開閉部材を備える
請求項１に記載の加湿器。
【請求項３】
前記開閉部材は、前記送風通路の開口部と前記蒸気通路の開口部との間に設けられている
請求項２に記載の加湿器。
【請求項４】
前記調整機構は、前記開閉部材の開閉動作を前記本体ケースの外部から操作する操作部を備える
請求項２又は３に記載の加湿器。
【請求項５】
前記送風機構は前記吸引した空気を浄化するフィルタを備え、
当該フィルタを通過した空気が前記蒸気通路に送り込まれる
請求項１〜４の何れか1項に記載の加湿器。
【発明の詳細な説明】
【技術分野】
【０００１】
本発明は、水を加熱して蒸気を発生させる加湿器に関する。
【背景技術】
【０００２】
吸入した空気を利用して蒸気を放出する加湿器が提案されている（例えば特許文献１）。特許文献１に記載の加湿器では、湿度センサを備え、センサの検出結果に基づいて蒸気の発生量を調整している。これにより、加湿器から放出される蒸気の温度を調整できる。
【先行技術文献】
【特許文献】
【０００３】
【特許文献１】特開２０００−２８１６５号公報
【発明の概要】
【発明が解決しようとする課題】
【０００４】
しかしながら、特許文献１の加湿器は、湿度センサ、蒸気調整用の回路等を備えており、複雑な構成となっている。
本発明は、簡単な構成で、放出される蒸気の温度を調整できる加湿器を提供することを目的とする。
【課題を解決するための手段】
【０００５】
本発明に係る加湿器は、加熱部で発生した蒸気を本体ケースの蒸気口へ誘導するための蒸気通路を有する加湿機構と、前記本体ケースの吸気口から吸引した空気を前記本体ケースの排気口から排出するための送風通路を有する送風機構とを備え、前記加湿機構と前記送風機構は、前記送風通路から前記蒸気通路に前記空気の一部を送り込むための開口部を有し、前記送風通路から前記蒸気通路に送り込まれる空気量を機械的に調整する調整機構を備える。
【発明の効果】
【０００６】
本発明に係る加湿器は、簡単な構成で、放出される蒸気の温度を調整できる。
【図面の簡単な説明】
【０００７】
【図１】実施形態に係る加湿器の斜視図であり，（ａ）は前斜め上方から見た図であり、（ｂ）は後斜め下方から見た図である。
【図２】加湿器の分解状態を前斜め上方から見た図である。
【図３】加湿器の分解状態を後斜め下方から見た図である。
【図４】加湿ユニットの分解状態を後斜め上方から見た図である。
【図５】加湿ユニットの分解状態を前斜め上方から見た図である。
【図６】（ａ）は加湿器の内部を前側から見た斜視図であり、（ｂ）は加湿器の内部を後側から見た斜視図である。
【図７】（ａ）調整機構周辺の断面を前右側の上方から見た拡大斜視図であり、（ｂ）は調整機構周辺の断面を前左側の上方から見た拡大斜視図である。
【図８】開閉部材の動作を説明する図である。
【図９】（ａ）調整機構周辺の断面を後右側から見た拡大斜視図であり、（ｂ）は調整機構周辺の断面を後左側から見た拡大斜視図である。
【図１０】開閉部材の変形例を示す図である。
【発明を実施するための形態】
【０００８】
＜概要＞
実施形態の一態様に係る加湿器は、加熱部で発生した蒸気を本体ケースの蒸気口へ誘導するための蒸気通路を有する加湿機構と、前記本体ケースの吸気口から吸引した空気を前記本体ケースの排気口から排出するための送風通路を有する送風機構とを備え、前記加湿機構と前記送風機構は、前記送風通路から前記蒸気通路に前記空気の一部を送り込むための開口部を有し、前記送風通路から前記蒸気通路に送り込まれる空気量を機械的に調整する調整機構を備える。これにより、蒸気温度を調整したい使用者のニーズに対応できる。また、空気量を機械的に調節するため、吸気口から吸引する空気量や加熱部の加熱温度等を調整することなく、蒸気温度を調整できる。
実施形態の別態様に係る加湿器において、前記調整機構は、前記開口部を開閉自在に開閉して、当該開口部を通過する空気量を調整する開閉部材を備える。これにより、簡単な構造で、開口部を通過する空気量を調整できる。
【０００９】
実施形態の別態様に係る加湿器において、前記開閉部材は、前記送風通路の開口部と前記蒸気通路の開口部との間に設けられている。これにより、開閉部材が送風通路内を排気口に向かう空気や蒸気通路内を蒸気口へ向かう蒸気の障害となることを抑制できる。また、送風通路内や蒸気通路内に開閉部材を設けるよりも簡単な構造で実施できる。
実施形態の別態様に係る加湿器において、前記調整機構は、前記開閉部材の開閉動作を前記本体ケースの外部から操作する操作部を備える。これにより、簡単に蒸気温度を調整できる。
実施形態の別態様に係る加湿器において、前記送風機構は前記吸引した空気を浄化するフィルタを備え、当該フィルタを通過した空気が前記蒸気通路に送り込まれる。これにより、蒸気通路へ塵埃の混入を防止できる。また、清浄化された空気で蒸気を送り出すことができ、室内環境をより快適にできる。また、蒸気通路に送り込まれる空気を制限することで、加湿機構により室内を加湿しつつ、別の送風通路で浄化した空気を放出して、室内の空気を浄化することができる。つまり、加湿効果と空気浄化効果の両方を最大限発揮できる。
【００１０】
≪実施形態≫
１．概略
実施形態に係る加湿器１は、図２及び図３に示すように加湿機構３と送風機構５とを有する。図１に示すように、加湿機構３は、供給された水を加熱することにより発生した蒸気を本体ケース７の蒸気口７ａから放出する。送風機構５は、本体ケース７の吸気口７ｂから吸引した空気を本体ケース７の排気口７ｃから排出する。
加湿機構３及び送風機構５の一部が本体ケース７を構成する。例えば、加湿機構３の蒸気放出口は本体ケース７の蒸気口７ａとなり、送風機構５の空気の排出口が本体ケース７の排気口７ｃとなる。加湿機構３及び送風機構５の主な構成は本体ケース７内に収容される。以下、各部構成について説明する。
なお、図面において、後述の送風通路５４や蒸気通路３４等の空間を示す引き出し線は、通路を構成する面を示す引き出し線と区別するために、矢印としている。
【００１１】
２．各部構成
（１）本体ケース
主に図２及び図３を用いて説明する。
本体ケース７はケーシング７３とリアパネル７５とから構成される。ここでの本体ケース７は、内部に浄化用のフィルタを備えるため、着脱自在なフロントパネル７１を備える。
明細書中で使用する前後は、加湿器１を操作する際に、使用者が加湿器１と対向する側を前側とする。また、左右は、使用者が加湿器１と対向した際の左右方向とする。
フロントパネル７１はケーシング７３の前側に着脱可能に装着され、リアパネル７５はケーシング７３の後側に装着されている。
なお、フロントパネル７１、ケーシング７３及びリアパネル７５が組み立てられた状態では上部側が開口し、当該開口を利用して加湿機構３が設けられている。このため、本体ケース７は加湿機構３の一部を含むとしてもよいが、本項目ではフロントパネル７１、ケーシング７３及びリアパネル７５について説明する。
【００１２】
（１−１）ケーシング
図２及び図３を用いて説明する。
ケーシング７３は本体ケース７の主構造体である。ケーシング７３は、前側の下部側が開口し且つ後側の上部側が開口する形状をしている。
ケーシング７３は、下壁７３０、右側壁７３１、左側壁７３２、下立設壁７３３、上立設壁７３４、中間壁７３５（図６の（ａ）参照）、上壁７３６を有している。ここでは、ケーシング７３は、図６の（ａ）に示すように、右内側壁７３８と左内側壁７３９を有している。
中間壁７３５は上下方向の中間に水平に設けられている。右内側壁７３８及び左内側壁７３９は、右側壁７３１及び左側壁７３２の内側あって下壁７３０と中間壁７３５とを連結するように設けられている。右内側壁７３８及び左内側壁７３９を設けることによりケーシング７３を補強でき、水タンク３１を上部側に配置することができる。
【００１３】
下立設壁７３３は、中間壁７３５、右内側壁７３８、左内側壁７３９及び下壁７３０の後端部を連結するように設けられている。これにより、ケーシング７３の剛性を高めることができる。
下立設壁７３３の後面には送風部５１が装着される。ケーシング７３は送風部５１の廻りに上流送風壁７４１を有する。なお、下立設壁７３３における送風部５１と対向する部位に貫通孔７３３ａ（図６の（ａ）参照）を有する。下立設壁７３３、上流送風壁７４１及びリアパネル７５とで上流送風通路５２が構成される。
【００１４】
上立設壁７３４（図３参照）は、右側壁７３１及び左側壁７３２における中間壁７３５よりも上方の前端部分を連結する。
中間壁７３５は、図３に示すように、右側壁７３１及び左側壁７３２よりも前側に張り出している。ケーシング７３は、右側壁７３１及び左側壁７３２の上部側から前側に張り出す右張出し壁７４２、左張出し壁７４３を有している。上壁７３６は図２に示すように右張出し壁７４２及び左張出し壁７４３の上端同士を左右方向に連結する。
上立設壁７３４の前側には、図２に示すように、操作部８１が装着されている。操作部８１は、加湿器１の電源ＯＮ／ＯＦＦを操作したり、加湿機構３や送風機構５を操作したり等を行うためのものである。
なお、中間壁７３５及び上壁７３６の上面には、図６の（ａ）に示すように加湿機構３が当接し、加湿機構３を支持する。
【００１５】
（１−２）フロントパネル
フロントパネル７１はケーシング７３の前側を覆う状態で装着されている。
フロントパネル７１は、平板状の前パネル部７１１と、前パネル部７１１の左右両端から後側に延伸する側板部７１３とを有する。フロントパネル７１は操作部８１用の開口７１５を前パネル部７１１に有する。フロントパネル７１は、ケーシング７３とで吸気口７ｂを構成する欠け部７１７を側板部７１３に有する。
【００１６】
（１−３）リアパネル
リアパネル７５はケーシング７３の後側を覆う状態で装着されている。
リアパネル７５は、平板状の後パネル部７５０と、後パネル部７５０の左右上下端から前側に延伸する下壁７５１、右側壁７５２、左側壁７５３、上壁７５４とを有する。リアパネル７５は、加湿機構３用の欠け部７５５を上壁７５４に有する。リアパネル７５は、図２に示すように、ケーシング７３の上流送風壁７４１に連続し且つ上流送風壁７４１の下流側に位置する下流送風壁７５７，７５８を後パネル部７５０に有すると共に排気口７ｃを構成する貫通孔７５９を上壁７５４に有する。
なお、下流送風壁７５７，７５８は、加湿機構３の加湿ユニット３３のベース３３３とリアパネル７５の後パネル部７５０とで下流送風通路５３を構成する。図６の（ｂ）に示すように、上流送風通路５２と下流送風通路５３とで送風通路５４が構成される。
加湿機構３側に位置する下流送風壁７５７は、図２に示すように、送風通路５４から空気が送り出すための開口部７５７ａと、開口部７５７ａの開口面積を調整可能とする開閉部材６１を開閉自在に装着するための装着部７５７ｂとを有している（図７の（ｂ）参照）。ここでの開口部７５７ａは、図２に示すように、下流送風壁７５７の前側から後側に進入する欠け部により構成されている。
【００１７】
（２）加湿機構
加湿機構３は、図２及び図３に示すように、着脱可能な水タンク３１と、水タンク３１から供給される水を蒸発させて外部に放出する加湿ユニット３３とを有する。
（２−１）水タンク
水タンク３１は、図３に示すように、下壁に開口を有するタンク本体３１１と、タンク本体３１１の開口に着脱自在に装着されたタンクキャップ３１３とを備える。
タンクキャップ３１３は、加湿ユニット３３のトレイ３３０への水タンク３１の着脱に合わせて開閉する弁を有し、装着により内部の水が供給される（弁が開状態となる）ようになっている。
【００１８】
（２−２）加湿ユニット
図４及び図５を用いて説明する。
加湿ユニット３３は、トレイ３３０、カバー３３１、カップ３３２、ベース３３３、ヒータ３３４、キャップ３３５を備える。
加湿ユニット３３は、水タンク３１からヒータ３３４側へと水を供給する供給部と、供給された水を貯留する貯留部と、貯留されている水を加熱して蒸気を発生させる加熱部と、発生した蒸気を本体ケース７の蒸気口７ａへ誘導するための蒸気通路を有する。各部が構成されるように上記トレイ３３０、カバー３３１、カップ３３２、ベース３３３、ヒータ３３４及びキャップ３３５が構成されている。
【００１９】
（２−２−１）カバー
カバー３３１は、水タンク３１のタンクキャップ３１３が嵌るキャップ受部３３１ａと、発生した蒸気を蒸気口７ａに誘導する蒸気筒部３３１ｂと、キャップ受部３３１ａと蒸気筒部３３１ｂとを連結する連結部３３１ｃと、蒸気筒部３３１ｂの上端に設けられた孔付板部３３１ｄとを有する。
なお、蒸気筒部３３１ｂの形状を上側に移るにしたがって細くすることで、発生した蒸気を効率よく集めて、外部に放出できる。
【００２０】
（２−２−２）トレイ
トレイ３３０は、水タンク３１を支持するタンク支持部３３０ａと、カバー３３１のキャップ受部３３１ａと連結部３３１ｃとを収容するカバー収容部３３０ｂと、カバー３３１を受け入れるための縦溝３３０ｃと、カバー収容部３３０ｂを含んで下方に突出する突出部３３０ｄとを有する。
カバー３３１がカバー収容部３３０ｂに収容されると、カバー３３１の蒸気筒部３３１ｂがトレイ３３０から後方に張り出す。なお、突出部３３０ｄの内部は上下に延伸する縦リブにより補強されている。
【００２１】
（２−２−３）カップ
カップ３３２は、トレイ３３０の突出部３３０ｄを上方から収容する突出部収容部３３２ａと、トレイ３３０に収容されたカバー３３１においてトレイ３３０から張り出す蒸気筒部３３１ｂの下部側と嵌合する筒部嵌合部３３２ｂとを有する。
【００２２】
（２−２−４）ベース
ベース３３３は、トレイ３３０のタンク支持部３３０ａを下方から支持するトレイ支持部３３３ａと、カップ３３２を収容するカップ収容部３３３ｂと、キャップ３３５が嵌合するキャップ嵌合部３３３ｃと、本体ケース７内の下立設壁７３３の上方部分を前後に区画するための区画部３３３ｄとを有する。
キャップ嵌合部３３３ｃには、送風通路５４から空気が送り込まれる送込口（３５）を構成するための外側開口部３３３ｅが設けられている。外側開口部３３３ｅは、図７に示すように、送風機構５の送風通路５４の開口部７５７ａと対向する部位又は当該対向する部位の周辺に設けられている。外側開口部３３３ｅは、キャップ３３５の内側開口部３３５ｄと連通可能に設けられ、内側開口部３３５ｄとで送込口３５が構成される。なお、送込口３５を介して、送風機構５から空気が送り込まれて、蒸気の温度調整がなされる。また、送込口３５は本発明の蒸気通路３４の開口部の一例に相当する。
【００２３】
（２−２−５）ヒータ
ヒータ３３４は、例えばＰＴＣヒータが利用されている。ヒータ３３４は取付板３３７に取り付けられ、取付板３３７がパッキン３３８を介してベース３３３のカップ収容部３３３ｂの下面に気密状に取り付けられる（図３参照）。
【００２４】
（２−２−６）キャップ
キャップ３３５は、カバー３３１の蒸気筒部３３１ｂの上部側に外篏し且つベース３３３のキャップ嵌合部３３３ｃに内篏する筒部３３５ａと、貫通孔３３５ｃを有する蓋部３３５ｂとを有する。
筒部３３５ａには、送風通路５４から空気が送り込まれる送込口（３５）を構成するための内側開口部３３５ｄが設けられている。なお、貫通孔３３５ｃは加湿機構３がケーシング７３にセットされると、本体ケース７の蒸気口７ａとなる。
【００２５】
（２−２−７）水の供給及び貯留
水タンク３１内の水は、水タンク３１がセットされるとタンクキャップ３１３の便が開き、カバー３３１のキャップ受部３３１ａに流出する。流出した水はキャップ受部３３１ａの底の貫通孔から、トレイ３３０のカバー収容部３３０ｂとカバー３３１の連結部３３１ｃとの間の隙間を通って、カップ３３２の筒部嵌合部３３２ｂへと供給される。
筒部嵌合部３３２ｂの下端開口はヒータ３３４の取付板３３７とパッキン３３８とで密閉されており、筒部嵌合部３３２ｂの下部側に供給された水が貯留する。
【００２６】
（２−２−８）加熱及び蒸気通路
加熱はヒータ３３４により行われる。発生した蒸気は、カバー３３１の蒸気筒部３３１ｂ、キャップ３３５の筒部３３５ａを通り、蓋部３３５ｂの貫通孔３３５ｃ（蒸気口７ａ）から放出される。つまり、貫通孔３３５ｃ（蒸気口７ａ）に蒸気を誘導する蒸気通路３４は、カバー３３１の蒸気筒部３３１ｂと、キャップ３３５の筒部３３５ａにおけるカバー３３１より上方部分とで構成される。
【００２７】
（２−２−９）組み立て状態
加湿ユニット３３として組み立てられた状態では、トレイ３３０の突出部３３０ｄの下面がカップ３３２の突出部収容部３３２ａの底面に当接し、カップ３３２の突出部収容部３３２ａの下面がベース３３３のカップ収容部３３３ｂの底面に当接する。
加湿ユニット３３（ベース３３３のカップ収容部３３３ｂ）の下面は図６の（ａ）に示すように、本体ケース７の中間壁７３５に当接する。また、トレイ３３０のタンク支持部３３０ａはベース３３３のトレイ支持部３３３ａと当接し、ベース３３３は本体ケース７の上壁７３７に当接する。
これらにより、本体ケース７が補強され、重量物である水タンク３１を下方から支持できる。
【００２８】
カバー３３１とトレイ３３０とカップ３３２とをベース３３３に組み込んだ状態では、トレイ３３０のタンク支持部３３０ａより後方に加熱部や蒸気通路３４が位置する。これにより、電子部品を搭載する操作部８１を加熱部及び蒸気通路３４から離した状態で設けることができる。
水タンク３１内の水は、カバー３３１のキャップ受部３３１ａから、操作部８１と反対側に位置するカップ３３２の筒部嵌合部３３２ｂへと供給される。このため、水タンク３１が水が操作部８１側に流れるおそれがなく、操作部８１に対して防止対策を設ける必要がなくなる。
【００２９】
（３）送風機構
送風機構５は、図２及び図３に示すように、本体ケース７の内部に収容される送風部５１を有する。送風部５１は、図３に示すように、例えば、モータ５１１とシロッコファン５１３とから構成され、ケーシング７３の下立設壁７３３に取り付けられている。
送風機構５は、図１に示す吸気口７ｂから本体ケース７内に空気を吸引し、図６に示すように、吸引された空気はケーシング７３の下立設壁７３３の貫通孔７３３ａ、送風通路５４を通って、本体ケース７の排気口７ｃから排出する。
送風機構５は吸引した空気を清浄する清浄部５６を有している。清浄部５６は、図２及び図３に示すように、プレフィルタ５６１と集塵フィルタ５６３とを備える。清浄部５６はフロントパネル７１とケーシング７３との間に配されている。
【００３０】
（４）調整機構
（４−１）構成
主に図７を用いて説明する。
調整機構６は、送風機構５が送風する空気を利用して、本体ケース７の蒸気口７ａから放出する蒸気の温度を調整するものである。調整機構６は、送風機構５から加湿機構３に送り込む空気量を機械的に調整して、蒸気の温度を調整する。調整機構６は、送風通路５４の開口部７５７ａと蒸気通路３４の送込口３５の少なくとも一方の開口面積を調整する。なお、図７において、送風機構５〜加湿機構３に送り込まれる空気の流れを白抜きの矢印で示している。
ここでの調整機構６は、送風機構５の送風通路５４の開口部７５７ａと、加湿機構３の蒸気通路３４の送込口３５との間に配された開閉部材６１を備える。開閉部材６１は、空気の送り込む方向を回転軸として、回転自在に設けられ、例えば、板状をしている。
【００３１】
開閉部材６１は、図８に示すように、開口部７５７ａ（図８には図示されていない）と送込口３５との少なくとも一方の開口部を覆うことができる大きさの開閉部６１１と、開閉部６１１を回転自在に送風機構５に装着する装着部６１３と、本体ケース７の外部から開閉部６１１の開閉動作を操作するための操作部６１５とを有する。
開閉部６１１は、図７及び図８に示すように、矩形板状をしている。開閉部６１１は、開口部７５７ａが形成されている面に近接してまたは当接して移動する。これにより、蒸気の温度を下げる必要がない場合に、送風機構５が送風する空気量の低下を抑制できる。
【００３２】
装着部６１３は開閉部材６１の回転動作の回転軸が通過する部位に設けられている。装着部６１３は、図９の（ｂ）に示すように、送風通路５４を構成する下流送風壁７５７の貫通孔に係合する係合構造を有している。ここでの装着部６１３は、回転軸を挟んだ一対の係止片６１３ａ，６１３ｂにより構成されている。一対の係止片６１３ａ，６１３ｂは、その一対の係止片６１３ａ，６１３ｂが遠近する方向に弾性変形可能に構成され、通常の状態では、下流送風壁７５７の貫通孔７５７ｄの周壁を押圧する。これにより、開閉部材６１の開閉状態（姿勢）を維持できる。貫通孔７５７ｄの形状は円形状であり、一対の係止片６１３ａ，６１３ｂの外周形状は円弧状をしている。これにより、一対の係止片６１３ａ，６１３ｂが貫通孔７５７ｄに対して回転可能となる。
【００３３】
開閉部材６１は全体として矩形状をし、操作部６１５は、図９に示すように、長手方向の一端側に設けられている。操作部６１５は円形状に近い形状をしている。操作部６１５の外周部分は、操作しやすいように、ローレット状（波状）をしている。
開閉部材６１は、開口部７５７ａや送込口３５を完全に覆わない開状態にあるとき、図８の（ａ）に示すように、開閉部６１１における短手方向（全体形状が矩形状の開閉部材６１の短手方向である）の一端側の端面が本体ケース７のリアパネル７５（の後パネル部７５０）に当接する。
開閉部材６１は、開口部７５７ａや送込口３５を完全に覆う閉状態にあるとき、図８の（ｃ）に示すように、開閉部６１１における短手方向（全体形状が矩形状の開閉部材６１の短手方向である）の他端側の端面が本体ケース７の延伸板部７６０に近接（当接）する。これにより、開閉部材６１の動作が規制される。なお、延伸板部７６０は、図７の（ｂ）に示すように、加湿機構３のベース３３３の溝３３３ｆに挿入される。
【００３４】
開閉部材６１の装着部６１３は、図８の（ａ）に示すように、本体ケース７の開口７ｄと送込口３５との略中央にある。装着部６１３の中心（仮想回転軸）と送込口３５との距離は、円形状に近い操作部６１５の半径よりも大きい。これにより、操作部６１５により開口部７５７ａや送込口３５が塞がれることはない。
開閉部材６１の短手方向の開閉部６１１の端部は、リアパネル７５の後パネル部７５０側に位置する一端部では、操作部６１５の最大直径部分よりも短手方向の内方側にあり、リアパネル７５の後パネル部７５０側と反対側に位置する他端部では、操作部６１５の最大外径部分よりも短手方向の外方側にある。つまり、一端部は最大直径部分よりも凹んでおり、他端部は最大直径部分よりも張り出す。これにより、操作部６１５の操作性が向上すると共に開閉部６１１の位置規制を行うことができる。
【００３５】
開閉部材６１は、図７に示すように、送風機構５の送風通路５４を構成する下流送風壁７５７において、送風通路５４の外側に張り出す張出部分７５７ｃに装着されている。開閉部材６１は、開閉部６１１及び操作部６１５が下流送風壁７５７の外側に位置するように装着されている。これにより、開閉部材６１が、送風通路５４内の空気の流れを妨げるのを抑制できる。また、開閉部材６１は、本体ケース７のリアパネル７５に設けられているため、各部品を組み立てて構成される加湿機構３側に設けるよりも容易に実施できる。
開閉部材６１は、図７に示すように、加湿機構３の蒸気通路３４を構成するカバー３３１やキャップ３３５の外側に装着されている。これにより、開閉部材６１が、蒸気通路３４内の蒸気の流れを妨げるのを抑制できる。
【００３６】
（４−２）作用
開閉部材６１が回転することで、図８に示すように、送込口３５の開口面積が変化する。例えば、図８の（ａ）は送込口３５を完全に開にした開状態である。（ｂ）は送込口３５の半分が塞がり、開口面積が略半分となった状態である。（ｃ）は送込口３５を完全に閉にした閉状態である。このように、開閉部材６１の回転により、送込口３５の開口面積が変化し、蒸気通路３４に送り込まれる空気の量が調整されて、蒸気温度の調整が可能となる。
なお、図８では、送風機構５側の開口部７５７ａは、図面に現れていないが、加湿機構３側の送込口３５と同様に、開口面積が調整される。
【００３７】
開閉部材６１の開閉動作を本体ケース７の開口７ｄを利用しているため、容易に蒸気の温度を調整できる。開口７ｄは、図１の（ｂ）に示すように、蒸気口７ａから放出される蒸気が通過しない後面側に存在する。これにより、開閉部材６１の操作中に蒸気口７ａからの蒸気と触れるようなことを少なくできる。
【００３８】
送風機構５から蒸気通路３４に送り込む空気は、清浄部５６を通過しているため、蒸気通路３４への塵埃等の混入を少なくできる。また、清浄化された空気で蒸気を送り出すことができ、室内環境をより快適にできる。なお、送風通路５４から排気口７ｃから排出する空気も浄化された空気であり、室内の空気を浄化できる。
【００３９】
送風部５１を本体ケース７の下部側の略中央に設け、送風通路５４を本体ケース７の左右方向の一方側に設け、加湿機構３を送風部５１の上方であって左右方向の他方側に設けている。これにより、送風機構５と加湿機構３とをコンパクトに本体ケース７内に収容できる。また、調整機構６は、左右方向に併設する送風通路５４と加湿機構３（蒸気通路３４）との間に開閉部材６１を備えるため、１つの開閉部材６１により送込口３５と開口部７５７ａとの２つの開口部分の開閉を行うことができる。
【００４０】
調整機構６は、送風通路５４を構成する下流送風壁７５７における左右方向の外方へ「コ」字状に張り出し且つ上下方向に延伸する板部分に設けられているため、送込口３５との距離が近くなり、送込口３５の開閉を効率よく行える。
送込口３５と開閉部材６１との間隔が短いため、送風通路５４内の空気を送込口３５に送り込まない閉状態においても、蒸気通路３４から外部へ漏れ出す蒸気を少なくできる。
送風部５１の廻りには、図６の（ｂ）に示すように、後方から見たときに円形状の上流送風壁７４１が存在するため、加湿ユニット３３（蒸気通路３４）から蒸気が漏れたとしても、送風部５１のモータ５１１に水滴が付着するようなことを防止できる。
上流送風壁７４１と加湿機構３との位置関係において、加湿機構３の送込口３５の下方は、円弧状をする上流送風壁７４１の最も高い位置に対して左右方向の送風通路５４の存在しない側に偏心している。これにより、上流送風壁７４１に滴下した蒸気（水分）は、上流送風壁７４１の外周に沿って流下する。
【００４１】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００４２】
＜変形例＞
１．送風機構
（１）送風通路
実施形態の送風通路５４は、ケーシング７３の上流送風壁７４１と、リアパネル７５の下流送風壁７５７，７５８とを備えている。しかしながら、送風壁は、ケーシングのみに設けてもよいし、リアパネルのみに設けてもよいし、下流送風壁７５８を本体ケースの左右端にある一側壁で代用するようにしてもよい。
実施形態の送風通路５４はリアパネル７５を利用しているが、例えば、送風壁をケーシングに設け、当該送風壁を覆うフードを本体ケース内に収容するようにしてもよい。
実施形態の排気口７ｃは本体ケース７の上壁に設けられているが、側壁に設けられてもよいし、後壁（リアパネルの後パネル部）の上部側に設けてもよい。
【００４３】
（２）送風部
実施形態の送風部５１はケーシング７３の下立設壁７３３の後面に設けられているが、例えば、下立設壁７３３の前面に設けてもよいし、リアパネルに設けてもよい。
送風部５１のモータ５１１の回転軸は前後方向に延伸しているが、例えば、左右方向に延伸するように構成してもよいし、上下方向に延伸するように構成してもよい。
送風部５１は本体ケース７内であって左右方向の略中央に設けられているが、中央以外の左右方向の端側に設けられてもよい。但し、左右方向の重量バランスを考慮すると、略中央に設けるのが好ましい。
【００４４】
（３）清浄部
実施形態では清浄部５６を備えているが、清浄部を備えなくてもよい。
清浄部５６は、プレフィルタ５６１と集塵フィルタ５６３を備えているが、脱臭フィルタ等の他の機能を有するフィルタを備えてもよいし、プレフィルタと脱臭フィルタとを備えてもよいし、集塵フィルタと脱臭フィルタとを備えてもよい。
清浄部５６は、送風部５１の上流側に設けられているが、送風部の下流側に設けられてもよい。加湿機構３への空気の送り込みを考慮すると、加湿機構の送込口の上流側に清浄部が存在することが好ましい。
【００４５】
２．加湿機構
実施形態の加湿ユニット３３は、トレイ３３０、カバー３３１、カップ３３２、ベース３３３、ヒータ３３４、キャップ３３５、取付板３３７及びパッキン３３８により、供給部、貯留部、加熱部、蒸気通路を構成している。
しかしながら、供給部、貯留部、加熱部、蒸気通路を構成できればよく、その構成は特に限定するものではない。
例えば、キャップを筒部のみで構成し、蓋部を本体ケース側に設けてもよい。この場合、キャップとカバーとを一体品としてもよい。なお、カップ３３２をベース３３３に対して着脱自在に設けることで、ベース３３３からカップ３３２を取り外して排水を容易に行える。
【００４６】
３．調整機構
（１）開閉部材
（１−１）位置
実施形態の開閉部材６１は、蒸気通路３４と送風通路５４との間に配されているが、例えば、蒸気通路内に配してもよいし、送風通路内に配してもよい、蒸気通路内と送風通路内とに配してもよい。
（１−２）個数
実施形態の開閉部材６１は１個設けられているが、複数個（２個）設けられてもよい。例えば、送風通路の開口部に１個、蒸気通路の送込口に１個それぞれ設けてもよい。この場合、２個の開閉部材の動作を１つの操作で行うようにしてもよいし、２個の開閉部材の動作を別々に操作するようにしてもよい。
【００４７】
（１−３）構成
実施形態の開閉部材６１の形状は矩形板状をしているが、開口部や送込口（以下、「開口部等」とする）を開閉できればよく、その形状は特に限定するものではない。開閉部材は、例えば、円形状、楕円形状、三角形等の多角形やこれらに似た形状であってもよい。また、図１０の（ａ）に示すように、開閉部材８０２が振り子状をしていてもよい。この場合、装着部８０２ａが回転軸８０２ｃ上で回転自在に装着され、開閉部８０２ｂが開口部８０１を開閉する。
実施形態の開閉部材６１は板状をしているが、開口部等を開閉できればよく、その構造は特に限定するものではない。開閉部材は、例えば、断面が方形や矩形の筒状体や柱状体であってもよい。この場合、開閉部材の外面で開口部等を開閉することとなる。また、開口部等を円筒状の周壁に設け、当該円筒状に周壁内に円柱体又は円筒体を挿抜自在に挿入するようにしてもよい。この場合も、開閉部材により開口部等の開口面積を調整できる。
【００４８】
実施形態の開閉部材６１は、開口部７５７ａが設けられている面に対して直交する仮想軸周りに回転可能に設けられていたが、他の構造で開口部等を開閉するようにしてもよい。開口部等を他の構造で開閉する変形例を図１０の（ｂ）及び（ｃ）で説明する。
図１０の（ｂ）に示すように、開閉部材８１２が前後方向にスライド可能に支持され、開閉部材８１２が前後方向に移動して開口部８１１を開閉するようにしてもよいし、同図の（ｃ）に示すように、開閉部材８２２が上下方向にスライド可能に支持され、開閉部材８２２が上下方向に移動して開口部８２１を開閉するようにしてもよい。
【００４９】
実施形態では、開閉部材６１の動作を固定（ロック）する固定手段を備えていないが、固定手段を備えてもよい。一例としての固定手段は、開閉部材に対して遠近する方向に移動可能な移動体と、移動体が近接した際に移動体に係合し且つ移動体を一方向に回転させるとその係合が解除する係合片とを備える。なお、固定手段を備えることで、例えば、子供が操作してやけどすることを防止できる。
【００５０】
（１−４）開閉対象
実施形態では、開口部７５７ａと送込口３５との間に開閉部材６１が配され、開閉部材６１により主に開口部７５７ａが機械的に開閉されている。しかしながら、例えば、開口部と送込口とを送込通路で連結し、当該送込通路に対して開閉部材が進退自在に設けられてもよい。この場合、送込通路の断面積が開閉部材の進退で変化して、当該送込通路内を通過する空気量を調整できる（つまり、蒸気通路の送り込まれる空気量を調整できる）。
つまり、開閉部材は、送風機構の開口部から加湿機構の送込口の間を通過する空気の流路（上記の送込通路に相当する）の断面積を変化させるものであり、開口部に流入する空気を調整するために前記空気の流路外で開口部を塞ぐようにしてもよいし、送込口から流出する空気を調整するために前記空気の流路外であって送込口を塞ぐようにしてもよい。
このように、開閉部材は、前記空気の流路内に設けられもよいし、前記空気の流路外に設けられてもよい。
【００５１】
（２）開口部及び送込口
実施形態の開口部７５７ａ等の形状は矩形または方形状をしているが、図１０の（ａ）に示すように、開口部８０１の形状は円形状等の他の形状であってもよい。実施形態の開口部７５７ａ等の個数は１個であるが、複数個あってもよい。
実施形態では、開口部７５７ａと送込口３５とは対向しているが、開口部から流出した空気が送込口に流入できればよく、対向する位置になくてもよい。なお、空気損失を考慮すると、開口部と送込口とは対向している方が好ましく、開口部と送込口とは近接している方が好ましい。したがって、実施形態形では、開閉部材６１と送込口３５とが離間しているが、近接又は当接するようにしてもよい。
【００５２】
実施形態では、開口部８０１は送風通路５４に設けられ、送込口３５はベース３３３とキャップ３３５に設けれているが、送風通路と蒸気通路とを区画する区画壁を１枚とし、当該区画壁に開口部を設け、当該開口部を開閉するように開閉部材を設けてもよい。なお、空気の流路を考慮すると、開閉部材は送風通路及び蒸気通路の外部に存在する方がよい。
【００５３】
実施形態の調整機構は、開口形状・開口面積が固定の開口部等を備えているが、例えば、開口部等自体がその形状を変更可能な場合、形状を変更して開口面積を調整するようにしてもよい。このような構造としては、カメラの絞り機構のようなものがある。
【符号の説明】
【００５４】
１    加湿器
３    加湿機構
５    送風機構
６    調整機構
７    本体ケース
７ａ  蒸気口
７ｂ  吸気口
７ｃ  排気口
３４    蒸気通路
３５    送込口
５４    送風通路
７５７ａ  開口部
【図１】
2019203672.tif 000003
【図２】
2019203672.tif 000004
【図３】
2019203672.tif 000005
【図４】
2019203672.tif 000006
【図５】
2019203672.tif 000007
【図６】
2019203672.tif 000008
【図７】
2019203672.tif 000009
【図８】
2019203672.tif 000010
【図９】
2019203672.tif 000011
【図１０】
2019203672.tif 000012